(57)【要約】【課題】仕上がりの良い本格的な蒸し物調理できる加熱調理器を提供する。【解決手段】加熱室に水蒸気を噴出するスチーム噴出口を臨ませた水蒸気発生手段と、加熱室を加熱するオーブン加熱手段と、操作部と、制御手段と、被調理物を載せる受け皿と受け皿の蓋となるグリル皿蓋からなる蒸し焼き器とを備える加熱調理器において、蒸し焼き器はスチーム噴出口から噴出する水蒸気を導く蒸気口を設け、制御手段は、操作部によって蒸し調理を行う場合は、被調理物を水蒸気で蒸す前に、蒸し焼き器を前記オーブン加熱手段によって加熱し蒸し焼き器の中で前記水蒸気が結露しない温度まで加温し、蒸し焼き器が前記温度に到達した後に、前記オーブン加熱手段で加熱して前記温度を維持しながら、前記水蒸気発生手段を動作して蒸し焼き器の中に水蒸気を噴出するものである。【選択図】  図１４
2012229875.tif 000002
【特許請求の範囲】
【請求項１】
被調理物を収納する加熱室と、該加熱室の前側を塞ぐドアと、前記加熱室に水蒸気を噴出するスチーム噴出口を臨ませた水蒸気発生手段と、前記加熱室を加熱するオーブン加熱手段と、自動メニューの選択や設定を行う操作部と、前記水蒸気発生手段と前記オーブン加熱手段とを制御する制御手段と、被調理物を載せる受け皿と該受け皿の蓋となるグリル皿蓋からなる蒸し焼き器とを備える加熱調理器において、前記蒸し焼き器は前記スチーム噴出口から噴出する水蒸気を導く蒸気口を設け、前記制御手段は、前記操作部によって蒸し調理を行う場合は、被調理物を水蒸気で蒸す前に、前記蒸し焼き器を前記オーブン加熱手段によって加熱し前記蒸し焼き器の中で前記水蒸気が結露しない温度まで加温し、前記蒸し焼き器が前記温度に到達した後に、前記オーブン加熱手段で加熱して前記温度を維持しながら、前記水蒸気発生手段を動作して前記蒸し焼き器の中に水蒸気を噴出することを特徴とする加熱調理器。
【請求項２】
前記制御手段は、前記操作部によって小籠包を調理するメニューを選択した時の制御工程は、前記加熱室を空の状態で所定の温度に加熱するオーブン予熱工程を実施した後に、前記蒸し調理を実施することを特徴とする請求項１記載の加熱調理器。
【請求項３】
前記制御手段は、前記操作部によって蒸しスイーツを調理するメニューを選択した時の制御工程は、前記蒸し焼き器の中に水蒸気を入れるスチーム工程を実施した後に、前記蒸し調理を実施することを特徴とする請求項１記載の加熱調理器。
【発明の詳細な説明】
【技術分野】
【０００１】
本発明は、食品を蒸し料理する加熱調理器に関するものである。
【背景技術】
【０００２】
従来から、加熱調理器は、電子レンジ調理を行うレンジ加熱手段、オーブン調理を行うオーブン加熱手段、グリル調理を行うグリル加熱手段、スチーム調理を行うスチーム加熱手段の４種類の調理方法を単独もしくは組み合わせて行うことにより多様な調理を行うことができるものが知られている。
【０００３】
また、マイクロ波の吸収によって発熱する発熱体を密着させた調理皿に食品を載せて、マイクロ波によって受け皿の表面を高温にして受け皿に接触している食品の面に焼き色を付けるものも知られている。
【０００４】
近年、加熱調理器においては豊富なオート調理が組み込まれその中で特に、スチーム加熱手段を用いるオート調理が充実してきている。また、中華料理の点心など蒸し物調理をする機会が増えている。そこで、蒸し物調理を効率的に行い、手間を掛けないで調理時間を短縮し、更においしく調理ができる加熱調理器が好まれている。
【０００５】
特許文献１に示すものは、被加熱物を覆う蒸気カバーを設け、水を沸かしつつ発生させた水蒸気を閉じ込めて被加熱物を加熱する加熱調理器が記載されている。
【先行技術文献】
【特許文献】
【０００６】
【特許文献１】特開２００７−１８７４４０号公報
【発明の概要】
【発明が解決しようとする課題】
【０００７】
本来、蒸し物調理は、事前に湯を沸かして水蒸気が発生した後に蒸籠を載せることで、高温で大量の水蒸気で短時間に被調理物を蒸すことによって美味しく調理できるもので、時間をかけ過ぎると、例えば、小籠包などは加熱するのに時間を長くかけると、皮が具材の水分によって柔らかくなり、最悪の場合、皮が破れて中の汁が洩れてしまう。
【０００８】
上記した特許文献１に示す加熱調理器においては、発生した水蒸気を蒸気カバーに閉じ込め被調理物を加熱しているので、加熱室全体の温度は上昇することは無い。そのため、水蒸気によって満たされる蒸気カバーの内側では、水蒸気は蒸気カバーに接触することで熱が奪われ、蒸気カバー内で水蒸気が結露し、蒸し調理を短時間で調理ができない課題がある。
【０００９】
また、加熱が終了した後に、蒸気カバー内で結露した水滴が滴下して食品を濡らしたり、水滴によって食品の温度を低下させる問題がある。
【課題を解決するための手段】
【００１０】
本発明は上記の課題を解決するためになされたものであり、請求項１では、被調理物を収納する加熱室と、該加熱室の前側を塞ぐドアと、前記加熱室に水蒸気を噴出するスチーム噴出口を臨ませた水蒸気発生手段と、前記加熱室を加熱するオーブン加熱手段と、自動メニューの選択や設定を行う操作部と、前記水蒸気発生手段と前記オーブン加熱手段とを制御する制御手段と、被調理物を載せる受け皿と該受け皿の蓋となるグリル皿蓋からなる蒸し焼き器とを備える加熱調理器において、前記蒸し焼き器は前記スチーム噴出口から噴出する水蒸気を導く蒸気口を設け、前記制御手段は、前記操作部によって蒸し調理を行う場合は、被調理物を水蒸気で蒸す前に、前記蒸し焼き器を前記オーブン加熱手段によって加熱し前記蒸し焼き器の中で前記水蒸気が結露しない温度まで加温し、前記蒸し焼き器が前記温度に到達した後に、前記オーブン加熱手段で加熱して前記温度を維持しながら、前記水蒸気発生手段を動作して前記蒸し焼き器の中に水蒸気を噴出するものである。
【００１１】
請求項２では、前記制御手段は、前記操作部によって小籠包を調理するメニューを選択した時の制御工程は、前記加熱室を空の状態で所定の温度に加熱するオーブン予熱工程を実施した後に、前記蒸し調理を実施するものである。
【００１２】
請求項３では、前記制御手段は、前記操作部によって蒸しスイーツを調理するメニューを選択した時の制御工程は、前記蒸し焼き器の中に水蒸気を入れるスチーム工程を実施した後に、前記蒸し調理を実施するものである。
【発明の効果】
【００１３】
本発明によれば、仕上がりの良い本格的な蒸し物調理することができる、という効果がある。
【図面の簡単な説明】
【００１４】
【図１】実施例１の加熱調理器の本体を前方側から見た斜視図。
【図２】同加熱調理器の本体を後方側から見た斜視図。
【図３】図１のＡ−Ａ断面図。
【図４】同加熱調理器のガラスドアを開いた状態の斜視図。
【図５】同加熱調理器の本体から外枠を取り外した状態を前方側から見た斜視図。
【図６】同加熱調理器の本体から外枠を取り外した状態を後方側から見た斜視図。
【図７】同加熱調理器のグリル皿蓋体単体の表面斜視図。
【図８】同加熱調理器の受け皿単体の表面斜視図。
【図９】同加熱調理器の受け皿単体の裏面斜視図。
【図１０】同加熱調理器のグリル皿蓋体と受け皿を組んだ状態の斜視図。
【図１１】図１０のＢ−Ｂ断面図。
【図１２】同加熱調理器にグリル皿蓋体と受け皿を組んで載置した斜視図。
【図１３】同加熱調理器の制御手段を表わしたブロック図。
【図１４】同加熱調理器の小籠包を調理するときの制御方法を表わした説明図。
【図１５】同加熱調理器の小籠包を調理するときの仕上がり調節と加熱時間の乗数を表わした説明図。
【図１６】実施例２の加熱調理器の蒸しスイーツを調理するときの制御方法を表わした説明図。
【図１７】実施例２の加熱調理器の他の蒸しスイーツの加熱時間と所定温度を表わした説明図。
【発明を実施するための形態】
【００１５】
以下に、本発明の具体的内容について図面を参照しながら詳細に説明する。
【実施例１】
【００１６】
図１から図４に示す加熱調理器の本体１は、加熱室２８の中に加熱する被調理物を入れ、マイクロ波やヒータ，水蒸気の熱を使用して被調理物を加熱調理するものである。
【００１７】
ドア２は、加熱室２８の内部に被調理物を出し入れするために開閉するもので、ドア２を閉めることで加熱室２８を密閉状態にし、被調理物を加熱する時に使用するマイクロ波の漏洩を防止し、熱を封じ込め、効率良く加熱することを可能とする。取っ手９は、ドア２に取り付けられ、ドア２の開閉を容易にするもので、手で握りやすい形状になっている。ガラス窓３は、調理中の食品の状態が確認できるようにドア２に取り付けられ、ヒータ等の発熱による高温に耐えるガラスを使用している。
【００１８】
入力手段７１は、ドア２の前面下側の操作パネル４に設けられ、マイクロ波で被調理物を加熱するレンジ加熱手段７７、加熱室２８の上面に設けたヒータで被調理物を加熱するグリル加熱手段１２、水蒸気により被調理物を加熱する水蒸気発生手段４３、熱風ユニットの熱風や加熱室２８の上面と下面に設けたヒータなどで加熱室２８を加熱するオーブン加熱手段などの加熱手段を選択し、加熱する時間等の調理条件や自動メニューを入力するための操作部６と、操作部６から入力された内容や調理の進行状態を表示する表示部５とで構成される。
【００１９】
水タンク４２は、水蒸気を作るのに必要な水を溜めておく容器であり、本体１の前面下側に設けられ、本体１の前面から着脱可能な構造とすることで給水および排水が容易にできるようになっている。
【００２０】
外枠７は、加熱調理器の本体１の上面と左右側面を覆うキャビネットである。後板１０は、前記したキャビネットの後面を形成するものであり、上部に外部排気ダクト１８が取り付けられ、前記外部排気ダクト１８の取り付けられる内側に、被調理物から排出した蒸気や本体１の内部の部品を冷却した後の冷却風（廃熱）３９を排出する排気孔３６が設けられている。
【００２１】
また、外部排気ダクト１８は、排気孔３６を通過した冷却風３９を本体１の外に排出するもので、排気は外部排気ダクト１８の外部排気口８から排出し、排気の排出方向は本体１の上部方向で且つ前面側に排気する。排気の排出方向を上部方向で且つ前面側に向けることで、背面を壁面に寄せた時でも排気によって壁面を汚すことがないようにしている。
【００２２】
機械室２０は、加熱室底面２８ａと本体１の底板２１との間の空間部に設けられ、底板２１上には食品を加熱するためのマグネトロン３３，マグネトロン３３に接続された導波管４７，制御基板２３、その他、後述する各種部品、これらの各種部品を冷却する冷却手段５０等が取り付けられている。
【００２３】
加熱室底面２８ａは、略中央部が凹状に窪んでおり、その中に回転アンテナ２６が設置され、マグネトロン３３より放射されるマイクロ波は、導波管４７，回転アンテナ駆動手段４６の出力軸４６ａが貫通する結合穴４７ａを通して回転アンテナ２６の下面に流入し、前記回転アンテナ２６で拡散されて加熱室２８内に放射される。回転アンテナ２６は、回転アンテナ駆動手段４６の出力軸４６ａに連結されている。
【００２４】
冷却手段５０は、底板２１に取り付けられた冷却モータにファンが連結されており、この冷却手段５０によって送風される冷却風３９は、機械室２０内の自己発熱するマグネトロン３３やインバータ基板２２，重量検出手段２５等を冷却し、加熱室２８の外側と外枠７の間および熱風ケース１１ａと後板１０の間を流れ、外枠７と後板１０を冷却しながら排気孔３６を通り、外部排気ダクト１８の外部排気口８より排出される。
【００２５】
加熱室２８の後部には熱風ユニット１１が取り付けられ、熱風ユニット１１は加熱室奥壁面２８ｂの後部側に熱風ケース１１ａを設け、加熱室奥壁面２８ｂと熱風ケース１１ａとの間に熱風ファン３２とその外周側に位置するように熱風ヒータ１４ａ、および１４ｂを設け、熱風ケース１１ａの後側に熱風モータ１３を取り付け、そのモータ軸を熱風ケース１１ａに設けた穴を通して熱風ファン３２と連結している。
【００２６】
そして、熱風ユニット１１は加熱室奥壁面２８ｂに設けた空気の通り道となる熱風吸気孔３１と熱風吹出し孔３０を通して連結し、熱風ケース１１ａ内の熱風ファン３２を熱風モータ１３により回転することで、加熱室２８と熱風ユニット１１との空気を循環し、熱風ヒータ１４ａ、および１４ｂで循環する空気を加熱する。
【００２７】
また、熱風ユニット１１の代わりに、加熱室２８の上面と下面にヒータを設けて加熱室２８を加熱しても良い。
【００２８】
加熱室２８の天面の裏側には、ヒータよりなるグリル加熱手段１２が取り付けられている。グリル加熱手段１２は、マイカ板にヒータ線を巻き付けて平面状に形成し、加熱室２８の天面裏側に押し付けて固定し、加熱室２８の天面を加熱して加熱室２８内の被調理物を輻射熱によって焼くものである。
【００２９】
また、加熱室底面２８ａには、複数個の重量検出手段２５、例えば前側左右に右側重量検出手段２５ａ，左側重量検出手段２５ｂ、後側中央に奥側重量検出手段２５ｃが設けられ、その上にテーブルプレート２４が載置されている。テーブルプレート２４は、食品を載置するためのもので、ヒータ加熱とマイクロ波加熱の両方に使用できるように耐熱性を有し、かつ、マイクロ波の透過性が良く、衛生面でも問題がない磁器等の材料で成形されている。
【００３０】
加熱室２８の後部上方には、加熱室２８内の温度を検出する温度検出手段ａ８５が設けられている。前記温度検出手段ａ８５は、グリル加熱手段１２及び熱風ユニット１１の熱風吹出し孔３０から加熱室２８内に吹出される熱風の影響を直接受けない位置に設けられている。
【００３１】
スチームユニット４３ａは水蒸気発生手段４３とポンプ手段８７により成る。水蒸気発生手段４３は、加熱室左側面２８ｃの外側面に取り付けられ、水蒸気を噴出するスチーム噴出口４４は加熱室２８内に臨ませている。また、水蒸気発生手段４３は、アルミの鋳造で作られ、鋳造時にボイラー加熱手段８９であるシーズヒータを一体となるように埋め込んでいる。そのヒータの消費電力は６００Ｗ前後と大きく、水蒸気発生手段４３は短時間で水を沸騰できる温度に加熱することができる。
【００３２】
水蒸気発生手段４３への水の供給は、ポンプ手段８７を駆動することによって水タンク４２からパイプ４５を通して供給される。供給された水は、パイプ４５を通って、水蒸気発生手段４３で加熱されて沸騰し、水蒸気となってスチーム噴出口４４から加熱室２８へ噴出する。
【００３３】
温度検出手段ｂ８８は、水蒸気発生手段４３の温度を検出するもので、その検出結果を後述する制御手段１５１に伝え、ボイラー加熱手段８９やポンプ手段８７を制御する。
【００３４】
ポンプ手段８７は、水タンク４２の水を水蒸気発生手段４３まで汲み上げるもので、ポンプとポンプを駆動するモータで構成される。水蒸気発生手段４３への給水量の調節はモータに供給する電力のＯＮ／ＯＦＦの比率で決定する。
【００３５】
図７から図１０を用いて、本実施例におけるグリル皿蓋と受け皿について説明する。
【００３６】
グリル皿蓋１０１は、グリル蓋１０５，蒸気口１０２，グリル皿蓋取っ手１０３，蓋パッキン１０４によって構成されている。
【００３７】
グリル蓋１０５は、マグネトロン３３より放射されるマイクロ波を透過しない金属製の材料により形成され、本実施例では、アルミフッ素ＰＣＭにより構成されている。また蒸気口１０２，グリル皿蓋取っ手１０３は、グリル蓋１０５の熱が伝わりにくく、更に加熱室２８内の熱による変形等の抑制を図るよう、本実施例ではプラスチック製樹脂にガラス材を混合させた材料により形成する。
【００３８】
蒸気口１０２は、本体１の内部に設けられた水蒸気発生手段４３から噴出される水蒸気をグリル皿蓋１０１に流入可能な構成となっており、蒸気口１０２はグリル蓋１０５と係合され、蒸気口１０２が係合されているグリル蓋１０５部は、蒸気口１０２の内径同形状の楕円形の連通口が設けられている。
【００３９】
グリル皿蓋１０１の下端周部には蓋パッキン１０４が設けられている。蓋パッキン１０４は、受け皿１１１（後述）からの熱の伝達を抑制する効果があり、本実施例ではシリコンゴム製の材料を使用している。また蓋パッキン１０４は、グリル蓋１０５と着脱可能な構成となっていることから、お手入れ時には容易にはずれ、使い勝っての良い構造となっている。
【００４０】
受け皿１１１は金属皿部１１２、および４つの脚部１１３により構成されている。金属皿部１１２は、マグネトロン３３より放射されるマイクロ波を透過しない金属製の材料により形成され、本実施例では、アルミフッ素ＰＣＭにより構成されている。金属皿部１１２の裏面には、マグネトロン３３より放射されたマイクロ波を吸収することにより発熱する高周波発熱体１２０を設ける。高周波発熱体１２０が発した熱は金属皿部１１２に伝達され、金属皿部１１２表面に載置されている被調理物の下部に焼きながら焦げ目を付ける効果がある。金属皿部１１２は被調理物を載置するものであり、被調理物に含まれる水分等が外部に漏れないよう、外壁が設けられている。また金属皿部１１２の表面には波状の凹凸部を設け、被調理物の内部に含まれる余分な脂分を排出しながら加熱される。更に金属皿部１１２の表面には、フッ素コーティングを施し、調理後、被調理物による金属皿部１１２の焦げ付き等を防止している。
【００４１】
図１０はグリル皿蓋１０１と受け皿１１１を組み合わせた状態を示し、グリル皿蓋１０１と受け皿１１１とを合わせて蒸し焼き器１２５である。グリル皿蓋１０１は蓋パッキン１０４を介して受け皿１１１に載置されている。しかしグリル皿蓋１０１と受け皿１１１とで共振器を構成し、グリル皿蓋１０１と受け皿１１１間の寸法を共振点の寸法から外す事で、グリル皿蓋１０１と受け皿１１１で構成する空間内（蒸し焼き器１２５の内部）にはマイクロ波が供給されにくくなっている。
【００４２】
図１１は図１０のＢ−Ｂ断面図、図１２は同加熱調理器にグリル皿蓋体と受け皿を組んで載置した斜視図である。
【００４３】
調理を行う際には、受け皿１１１の表面上に被調理物である被調理物１３０を載置し、受け皿１１１を覆うようにグリル皿蓋１０１を金属皿部１１２に載置する。
【００４４】
被調理物１３０を内在した受け皿１１１、およびグリル皿蓋１０１を本体１のテーブルプレート２４に載置した状態において、受け皿１１１とグリル皿蓋１０１を組み合わせた時のグリル皿蓋１０１に有する蒸気口１０２の開口部の位置は、本体１に有するスチーム噴出口４４と同位置の高さである。しかも、グリル皿蓋１０１に有する蒸気口１０２の開口部先端と、加熱室左側面２８ｃとの位置関係は、受け皿１１１をテーブルプレート２４に載置した状態において、スチーム噴出口４４は、蒸気口１０２の開口部先端にて隠れるような位置関係となっている。
【００４５】
次に、本加熱調理器の制御手段を表わしたブロック図である図１３を用いて加熱調理器のシステムの動作について説明する。
【００４６】
電源７６は、加熱調理器の本体１を動作させるためのものである。熱風ユニット１１は、熱風吸気孔３１，熱風吹出し孔３０を備える加熱室奥壁面２８ｂ外側に設けた熱風ケース１１ａの後側に熱風モータ１３を備え、熱風ケース１１ａの穴を通してそのモータ軸に熱風ファン３２を設け、熱風ファン３２の外周側に熱風ヒータ１４ａ、および１４ｂを設け、加熱室２８に熱風を循環して供給する。
【００４７】
レンジ加熱手段７７は、マグネトロン３３とマグネトロン３３を駆動するための電源を作るインバータ回路を搭載したインバータ基板２２である。インバータ回路は入力手段７１より入力された加熱パワーに応じた電源を作りマグネトロン３３に供給する。グリル加熱手段１２は、加熱室２８の天面の裏側に設けられたヒータよりなり、加熱室２８の天面を加熱して加熱室２８内の被調理物を輻射熱によって焼くものである。冷却手段５０は、底板２１に取り付けられた冷却モータにファンが連結されており、この冷却手段５０によって送風される冷却風３９は、機械室２０内の自己発熱するマグネトロン３３やインバータ基板２２，重量検出手段２５等を冷却する。回転アンテナ駆動手段４６は、回転アンテナ２６を駆動するためのモータで、同期モータと回転数を減速するためのギヤが一体になっているものである。重量検出手段２５は、テーブルプレート２４に載置された被調理物の重量を測定するものである。温度検出手段ａ８５は、加熱室２８に取り付けられ、加熱室２８内の温度を検出し、制御手段１５１によってグリル加熱手段１２のヒータの電力を調整するものである。スチームユニット４３ａは水蒸気発生手段４３とポンプ手段８７により成る。水蒸気発生手段４３は、水を加熱するヒータからなるボイラー加熱手段８９と、水蒸気発生手段４３の温度を検出する温度検出手段ｂ８８から構成し、制御手段１５１は温度検出手段ｂ８８の検出結果からボイラー加熱手段８９やポンプ手段８７を制御する。
【００４８】
７１は入力手段で、ここでは、操作部６と表示部５を示す。１５１は制御手段で、制御基板２３に搭載され、入力手段７１から入力のあった内容に従い、食品を加熱調理するように動作させるもので、各検知手段から食品の状態や加熱室の状態を検知し、その後各加熱手段や駆動手段を必要に応じて動作させるものである。
【００４９】
本実施例は、以上の構成からなり、次に動作について被調理物１３０として小籠包を蒸す場合の動作例を説明する。
【００５０】
被調理物１３０の小籠包を図１１に示すように受け皿１１１に並べてグリル皿蓋１０１で覆って待機する。それは、加熱室２８を一定の温度に予熱した後に図１２に示すように蒸気口１０２をスチーム噴出口４４に向けて加熱室２８のテーブルプレート２４に載置するためである。
【００５１】
小籠包の加熱は事前に確認されている工程が制御手段１５１に自動メニューとして入力され、加熱時間は重量検出手段２５によって検出された重量に応じて調整されるようになっている。
【００５２】
加熱は入力手段７１により既に入力されているオート調理の中から小籠包の蒸し調理を選択し、加熱開始用ボタン（図示なし）を押すことで加熱が開始する。
【００５３】
小籠包の加熱は図１４に示す制御工程２００で進行する。制御工程２００は、オーブン予熱工程２０１，予熱終了後待機工程２０２，オーブン工程２０３，スチーム＋オーブン工程２０４の４段階の工程を行う制御である。
【００５４】
蒸し調理は、オーブン工程２０３とスチーム＋オーブン工程２０４である。概ね、小籠包９個の加熱時間は、オーブン予熱工程２０１が約６分、オーブン工程２０３とスチーム＋オーブン工程２０４を合わせた加熱時間は約１５分である。
【００５５】
オーブン予熱工程２０１は、制御手段１５１にて、熱風ユニット１１の熱風で加熱室２８を加熱する工程であり、熱風ユニット１１は加熱室奥壁面２８ｂに設けた熱風吸気孔３１と熱風吹出し孔３０から空気を循環して加熱室２８を所定温度（約１５０℃）に加熱する。約６分で所定温度（約１５０℃）に加熱してオーブン予熱工程２０１を終了する。
【００５６】
オーブン予熱工程２０１において、加熱室２８を予め所定温度（約１５０℃）の高温にすることにより、次工程に備えるものである。
【００５７】
次に予熱終了後待機工程２０２は、予熱が終了したことを報知した後、制御手段１５１にて、熱風ユニット１１の熱風で加熱室２８を所定温度（約１５０℃）に維持する工程である。
【００５８】
予熱が終了した工程中に、図１１に示すように予め被調理物１３０の小籠包を受け皿１１１に並べてグリル皿蓋１０１で覆って小籠包を内材した蒸し焼き器１２５を、ドア２を開いて、図１２に示すように蒸気口１０２をスチーム噴出口４４に向けて加熱室２８のテーブルプレート２４に載置する。そしてドア２を閉める。
【００５９】
この予熱終了後待機工程２０２中にドア２を開いた後、ドア２を閉めると、本体１に設けたドアスイッチ（図示せず）で制御手段１５１が被調理物１３０を加熱室２８に載置したものと判定し、次工程に進む。
【００６０】
次にオーブン工程２０３は、制御手段１５１にて、熱風ユニット１１の熱風で、被調理物１３０の小籠包を内在した蒸し焼き器１２５を載置した加熱室２８を特定温度（約１００℃）に到達するように加熱する工程である。
【００６１】
予熱終了後待機工程２０２でドア２を開いて被調理物１３０の小籠包を内在した蒸し焼き器１２５を加熱室２８に載置したときに、加熱室２８の中の熱気が放出し、それに加えて略室温約２０℃にある小籠包を内在した蒸し焼き器１２５が加熱室２８の中に載置されるので、加熱室２８の温度が約１００℃よりも下がっている。
【００６２】
この工程で、加熱室２８の空気を加熱して、蒸し焼き器１２５の受け皿１１１とグリル皿蓋１０１を外から加熱して、蒸し焼き器１２５の内側面を１００℃より高くすることが目的である。
【００６３】
それは、オーブン工程２０３をせずにスチームを加えてしまうと、蒸し焼き器１２５の内側面に水蒸気が付着して結露水となり、加熱室２８に比べて蒸し焼き器１２５の内側面の面積が少ないので、一度結露水が付着すると結露水が乾燥できる間もなく、結露水が溜まっていく。そして、水分が付着すると水は温まり難いので、蒸し焼き器１２５の内部の温度が上がり難くなり、加熱時間が長くなり、そして加熱調理に大きなエネルギーが必要になることを防止するためである。
【００６４】
最後に、加熱室２８が特定温度（約１００℃）に到達すると、スチーム＋オーブン工程２０４を行う。スチーム＋オーブン工程２０４は、制御手段１５１にて、熱風ユニット１１の熱風で、被調理物１３０の小籠包を内在した蒸し焼き器１２５を載置した加熱室２８を所定温度（約１５０℃）に維持し、そして蒸し焼き器１２５の蒸気口１０２にスチームユニット４３ａでスチーム噴出口４４から水蒸気を連続して噴出して、小籠包を水蒸気で加熱して蒸す工程である。被調理物１３０の表面部分、特に皮の部分を集中的に蒸し、その後、徐々に内部の具を蒸して、ゼラチンで固めたスープを温めて溶かすものである。
【００６５】
スチーム＋オーブン工程２０４状態時において、小籠包が内在している蒸し焼き器１２５の内部は、スチーム噴出口４４から噴出された水蒸気で充満される。充満された水蒸気は、小籠包の皮、および内部の具を蒸し、一部は加熱室２８内部を循環する熱風で外側から加熱された蒸し焼き器１２５の内面側によりで熱せられて、熱を発している状態となっている。この時、蒸し焼き器１２５の内面側温度は水蒸気の温度（約１００℃）以上に熱せられ水は溜まらずに水蒸気となり小籠包の皮、および内部の具を蒸す。
【００６６】
これは、一般に小籠包の皮の主成分である小麦デンプンは糊化が進行する温度は５０〜６０℃と言われていることに基づき、更に、皮を寄せて重なる部分にも火が通るように、加熱調理開始直後から、皮の小麦デンプンが糊化を進行させて、被調理物１３０の表面部分、特に皮の部分を蒸す時間を短縮し、更に、皮のもっちりとした食感を向上させ、パサパサと乾燥させることがないようにするものである。そして、小籠包の特徴である具のスープのゼラチンが溶けているようにするものである。
【００６７】
また制御手段１５１により、テーブルプレート２４の底部に設けられた重量検知手段２５によってグリル皿蓋１０１に載置された小籠包の重量を測定し、オーブン工程２０３，スチーム＋オーブン工程２０４の時間を調整することが可能となる。
【００６８】
また図１５に示すように、入力手段７１による仕上がり調節（図示せず）で、仕上がり調節の段階に合わせて、加熱時間の乗数が設定され、仕上がりを調節することができる。本実施例では、仕上がり調節は中の場合を示し、乗数は１で加熱時間は約１５分である。例えば弱にした場合乗数は０.８で加熱時間は約１２分、また、強にした場合乗数は１.１５で総加熱時間は約１７.２５分である。
【００６９】
以上、本実施例によれば、仕上がりの良い本格的な蒸し焼き料理を調理することが可能となる。特に、小籠包の調理に好適である。
【実施例２】
【００７０】
蒸しスイーツの調理に対応した実施例２の加熱調理器について説明する。なお、実施例１と同等の構成などについては説明を省略することとする。
【００７１】
実施例２では、蒸しスイーツの例として、ここでは草もちを例として説明する。草もちの加熱は図１６に示す制御工程３００で進行する。制御工程３００は、スチーム工程３０１，オーブン工程３０２，スチーム＋オーブン工程３０３の４段階の工程を行う制御である。
【００７２】
蒸し調理は、オーブン工程３０２とスチーム＋オーブン工程３０３である。草もち１２個での時間は、概ね、スチーム工程３０１の加熱時間ｔ１が約２分３０秒で、オーブン工程２０３とスチーム＋オーブン工程２０４を合わせた加熱時間ｔ２は約２３分である。
【００７３】
予め被調理物１３０の草もちを図１１に示すように受け皿１１１に並べてグリル皿蓋１０１で覆って待機していた蒸し焼き器１２５を図１２に示すように蒸気口１０２をスチーム噴出口４４に向けて加熱室２８のテーブルプレート２４に載置する。そしてドア２を閉めて開始する。
【００７４】
スチーム工程３０１は、制御手段１５１にて、スチームユニット４３ａにより草もちを水蒸気加熱して蒸す加熱工程であり、被調理物１３０の表面部分、特に皮の部分を集中的に蒸すものである。
【００７５】
スチーム工程３０１状態時において、草もちが内在している蒸し焼き器１２５の内部は、スチーム噴出口４４から噴出された水蒸気で充満される。充満された水蒸気は、草もちの皮を蒸し、一部は結露水となって受け皿１１１に溜まり、皮がパサパサと乾燥するのを防止するものである。
【００７６】
次にオーブン工程３０２は、制御手段１５１にて、熱風ユニット１１の熱風で、被調理物１３０の草もちを内在した蒸し焼き器１２５を載置した加熱室２８を特定温度（約１００℃）に到達するように加熱する工程である。
【００７７】
熱風ケース１１ａ内の熱風ファン３２を回転することで、加熱室２８と熱風ユニット１１との空気を循環し、熱風ヒータ１４ａ、および１４ｂで循環する空気を加熱して、加熱室２８を特定温度（約１００℃）に到達するように加熱する。
【００７８】
この工程で、加熱室２８の空気を加熱して、蒸し焼き器１２５の受け皿１１１とグリル皿蓋１０１を外から加熱して、蒸し焼き器１２５の内側面を１００℃より高くすることが目的である。
【００７９】
それは、既にスチーム工程３０１で、蒸し焼き器１２５内に充満した水蒸気や、蒸し焼き器１２５内部に付着した結露水や溜まった水がある状態で水分を多く含む雰囲気で蒸し焼き器１２５の外側を加熱することが、草もちには必要である。
【００８０】
蒸し焼き器１２５の内部の温度を上げて結露水や溜まった水を加熱して水蒸気として無くし、湿り気を多く含んだ暖かい時間を経過させることにより、表面を乾かさずにじっくりと厚い皮を加熱するものである。
【００８１】
最後に、加熱室２８が特定温度（約１００℃）に到達すると、スチーム＋オーブン工程２０４を行う。スチーム＋オーブン工程３０３は、制御手段１５１にて、熱風ユニット１１の熱風で、被調理物１３０の草もちを内在した蒸し焼き器１２５を載置した加熱室２８を所定温度（約１５０℃）に維持し、そして蒸し焼き器１２５の蒸気口１０２にスチームユニット４３ａでスチーム噴出口４４から、水蒸気を断続して噴出して、草もちを水蒸気で加熱して蒸す加熱工程である。それは、熱風ユニット１１の熱風ヒータ１４がＯＮしている間はスチームユニット４３ａを動作して噴出し、熱風ヒータ１４がＯＦＦしている間はスチームユニット４３ａを動作せず噴出を休止して、熱風ヒータ１４のＯＮ／ＯＦＦに同期してスチームユニット４３ａを噴出する。被調理物１３０の表面部分、特に皮の部分を集中的に蒸すものである。
【００８２】
加熱室２８の温風で高温となった蒸し焼き器１２５の蒸気口１０２にスチームユニット４３ａによりスチーム噴出口４４から水蒸気を噴出して、草もちを水蒸気加熱して蒸す加熱工程であり、被調理物１３０の表面部分、特に皮の部分を集中的に蒸し、その後、徐々に内部の具を蒸すものである。
【００８３】
スチーム＋オーブン工程２０４状態時において、草もちが内在している蒸し焼き器１２５の内部は、スチーム噴出口４４から噴出された水蒸気で充満される。充満された水蒸気は、草もちを蒸し、一部は加熱室２８内部を循環する熱風で外側から加熱された蒸し焼き器１２５の内面側によりで熱せられて、熱を発している状態となっている。この時、蒸し焼き器１２５の内面側温度は水蒸気の温度（約１００℃）以上に熱せられ水は溜まらずに水蒸気となり草もちの皮を蒸す。
【００８４】
また制御手段１５１により、テーブルプレート２４の底部に設けられた重量検知手段２５によってグリル皿蓋１０１に載置された草もちの重量を測定し、スチーム工程３０１の加熱時間、オーブン工程２０３とスチーム＋オーブン工程２０４の合算の加熱時間を調整することが可能となる。
【００８５】
蒸しスイーツの制御工程３００により、栗蒸し羊羹，蒸しプリンも調理でき、その場合の加熱時間と所定温度を図１７に示す。
【００８６】
以上、本実施例によれば、仕上がりの良い本格的な蒸し焼き料理を調理することが可能となる。特に、草もちの調理に好適である。
【符号の説明】
【００８７】
１  本体
６  操作部
１１  熱風ユニット
１３  熱風モータ
１４ａ，１４ｂ  熱風ヒータ
１５，１５１  制御手段
２４  テーブルプレート
２５  重量検出手段
２８  加熱室
３３  マグネトロン
４２  水タンク
４３  水蒸気発生手段
４３ａ  スチームユニット
４４  スチーム噴出口
１０１  グリル皿蓋
１０２  蒸気口
１０４  蓋パッキン
１０５  グリル蓋
１１１  受け皿
１１２  金属皿部
１１３  脚部
１２０  高周波発熱体
１２５  蒸し焼き器
２００，３００  制御工程
２０１  オーブン予熱工程
２０２  予熱終了後待機工程
２０３，３０２  オーブン工程
２０４，３０３  スチーム＋オーブン工程
３０１  スチーム工程
【図１】
2012229875.tif 000003
【図２】
2012229875.tif 000004
【図３】
2012229875.tif 000005
【図４】
2012229875.tif 000006
【図５】
2012229875.tif 000007
【図６】
2012229875.tif 000008
【図７】
2012229875.tif 000009
【図８】
2012229875.tif 000010
【図９】
2012229875.tif 000011
【図１０】
2012229875.tif 000012
【図１１】
2012229875.tif 000013
【図１２】
2012229875.tif 000014
【図１３】
2012229875.tif 000015
【図１４】
2012229875.tif 000016
【図１５】
2012229875.tif 000017
【図１６】
2012229875.tif 000018
【図１７】
2012229875.tif 000019